(57)【特許請求の範囲】
【請求項１】
遊技台から放出されたセーフ玉数から当該遊技台に打込まれたアウト玉数を差引いた差玉数の最大値及び最小値を検出する検出手段と、
この検出手段が検出した最大値から最小値を差引いた代表差を、その最大値と最小値の間で打込まれた代表差間アウト玉数で除することにより、前記代表差の変化割合を示す射幸指数を演算する演算手段と、
この演算手段が演算した射幸指数を表示する表示手段とを備えたことを特徴とする遊技台の射幸指数表示システム。
【請求項２】
前記表示手段は、営業開始から所定時間までは前回の営業終了時の射幸指数を表示することを特徴とする請求項１記載の遊技台の射幸指数表示システム。
【発明の詳細な説明】
【０００１】
【発明の属する技術分野】
本発明は、遊技台の射幸性の度合いを遊技客に知らせるための遊技台の射幸指数表示システムに関する。
【０００２】
【発明が解決しようとする課題】
パチンコホールにおいては、遊技台の特賞回数やスタート回数などの稼働情報を遊技客に対して表示する表示装置を設けるようにしており、遊技客は表示装置に表示された稼働情報に基づいて各遊技台の稼働状況を把握することにより遊技する遊技台を選ぶようにしている。
【０００３】
ところで、遊技客が遊技台を選ぶ際は、上記の稼働情報に加えて遊技台の射幸性の度合いが重要な選択基準となる。つまり、遊技客は、特賞が発生するまでに要する投資額に対して、特賞が発生したときに得られる利益がどの程度となるかという点についても考慮し、遊技台を選択するようにしている。
【０００４】
このような判断をするためには、特賞確率や特賞時の出玉数などの情報が必要であるが、遊技頻度が高く遊技台の射幸性を判断可能な遊技客であればよいものの、遊技台の個々の特性についての詳しい情報をもたない遊技頻度の低い遊技客は遊技台の射幸性を容易に判断することはできなかった。
【０００５】
一方、遊技店経営者としては、各遊技台の稼働状況を管理する上で、射幸性の度合いが遊技台の稼働率にどのような影響を及ぼしているかを知りたいという要望を抱いているが、従来の管理システムではそれを容易に把握することはできなかった。
【０００６】
本発明は上記事情に鑑みてなされたもので、その目的は、遊技客或いは遊技店経営者が各遊技台の射幸性の度合いを容易に判断することができる遊技台の射幸指数表示システムを提供することにある。
【０００７】
【課題を解決するための手段】
本発明の遊技台の射幸指数表示システムは、遊技台から放出されたセーフ玉数から当該遊技台に打込まれたアウト玉数を差引いた差玉数の最大値及び最小値を検出する検出手段を設け、この検出手段が検出した最大値から最小値を差引いた代表差を、その最大値と最小値の間で打込まれた代表差間アウト玉数で除することにより、前記代表差の変化割合を示す射幸指数を演算する演算手段を設け、この演算手段が演算した射幸指数を表示する表示手段を設けたものである（請求項１）。
【０００８】
遊技客が遊技台で遊技することにより遊技台にパチンコ玉が打込まれたときは、アウト玉数が増加する。また、遊技台で入賞が発生したり、特賞が発生したときは、遊技台からセーフ玉が放出されるので、セーフ玉数が増加する。この場合、所定期間におけるセーフ玉数からアウト玉数を差引いた差玉数は、所定期間における遊技客の獲得玉数を示しているので、差玉数の変化割合は遊技客の利益の変化度合いを示しており、差玉数の変化割合いが大きい程射幸性が高いことを意味している。
【０００９】
上記構成によれば、検出手段は差玉数の最大値及び最小値を検出しており、演算手段は、検出手段が検出した差玉数の最大値から最小値を差引いた代表差を、その最大値と最小値との間で打込まれた代表差間アウト玉数で除することにより代表差の変化割合を示す射幸指数を演算する。そして、表示手段は、演算手段が求めた射幸指数を表示するので、表示された射幸指数に基づいて遊技台の射幸性の度合いを判断することができる。
【００１１】
また、前記表示手段は、営業開始から所定時間までは前回の営業終了時の射幸指数を表示するようにしてもよい（請求項２）。
このような構成によれば、営業開始直後においては射幸指数の信頼性が低いので、前回の営業終了時の射幸指数を表示することにより遊技客に信頼性の高い情報を提供することができる。
【００１２】
【発明の実施の形態】
以下、本発明の一実施の形態を図面を参照して説明する。
図２は全体構成を概略的に示している。この図２において、パチンコホールには複数の遊技台１が設置されている。各遊技台１には台端末２が設けられており、台端末２は島管理装置３と接続され、島管理装置３は集中管理装置４と接続されている。
【００１３】
ここで、遊技台１は、稼働状況に応じてアウト玉の発生を示すアウト信号、セーフ玉の発生を示すセーフ信号などの稼働信号を台端末２に出力するようになっている。
【００１４】
台端末２は、遊技台１からの稼働信号に基づいて各種の稼働情報を表示すると共に、島管理装置３からのポーリングに応じて蓄積した稼働情報を送信する。
島管理装置３は、管理対象の島内の全ての台端末２に対して定期的にポーリングを行うことにより稼働情報を収集して表示すると共に、集中管理装置４からのポーリングに応じて蓄積した稼働情報を集中管理装置４に送信する。
【００１５】
集中管理装置４は、各島管理装置３に対して定期的にポーリングを行うことにより全台の稼働情報を収集し、データ管理用の各種演算を行う。
一方、ＣＲＴを備えた情報公開端末５は、遊技客の操作に応じて、各種の稼働情報を集中管理装置５から受信してＣＲＴに表示するようになっている。
【００１６】
従って、遊技客は、遊技台１に対応して設けられた台端末２或いは情報公開端末５に表示される各種の稼働情報に基づいて当該遊技台１の特性を判断することにより台選択の目安にすることができる。
【００１７】
また、担当従業員は、集中管理装置４において演算される各種データに基づいて遊技台１毎の稼働状況を判断し、判断結果に基づいて釘調整を行ったり、或いは台交換を行う。
【００１８】
次に上記構成の作用について説明する。
遊技客が遊技台１で遊技すると、パチンコ玉が盤面に発射されるのに伴ってアウト玉が発生すると共に、入賞或いは特賞の発生に伴って遊技台１からセーフ玉が放出される。これらのアウト玉及びセーフ玉は台端末２で累計されており、島管理装置３によるポーリングに応じて島管理装置３に出力される。
【００１９】
集中管理装置４においては、島管理装置３に対して定期的にポーリングすることにより収集した稼働情報に基づいて各遊技台１毎のデータ管理用の各種稼働情報を求めるようになっている。
【００２０】
ここで、集中管理装置４が求める稼働情報としては、アウト玉数、セーフ玉数、差玉数、出玉率、売上、特賞回数、スタート回数、特賞確率等の通常の稼働情報に加えて、代表差、代表差間アウト、射幸指数等の本発明の特徴的な稼働情報が設定されている。この場合、アウト玉数及びセーフ玉数は営業開始からの累積玉数である。差玉数はアウト玉数からセーフ玉数を差引いたものである。出玉率はセーフ玉数をアウト玉数で除したものである。売上は、遊技台１に対応して設けられている図示しない台間玉貸機の売上である。特賞回数及びスタート回数は営業開始からの累積回数である。スタート確率は特賞回数をスタート回数で除したものである。代表差は、営業開始からの差玉数の最大値から最小値を差引いたものである。代表差間アウトは、差玉数が最大値と最小値となる間のアウト玉数の差である。射幸指数は、代表差を代表差間アウトで除したものである。
【００２１】
ところで、上述のアウト玉数、セーフ玉数、差玉数、出玉率、売上、特賞回数、スタート回数、特賞確率は、従来の集中管理装置においても得られていた稼働情報である。
【００２２】
しかしながら、これらの稼働情報だけでは、遊技客が遊技台１を選択する際の情報としては不十分であることから、本実施の形態の集中管理装置４では、射幸指数を求めることを特徴としており、そのために必要な演算要素として代表差及び代表差間アウトを求めるようにしている。つまり、代表差は営業開始からの差玉数の最大値と最小値との差であると共に代表差間アウトは差玉数が最大値と最小値となる間のアウト玉数差であるので、代表差を代表差間アウトで除した射幸指数は、差玉数が最大値と最小値との間で変化する際の変化割合を示していることになる。従って、射幸指数が大きい程、差玉数の変化割合が大きくなるので、遊技客にとっては面白みが大きい遊技台と言える。
【００２３】
図１は集中管理装置４の動作において射幸指数を求める際のフローチャートを示している。この図１において、集中管理装置４は、島管理装置３に定期的にポーリングすることにより各遊技台１の稼働情報を入手したときは（Ｓ１０１）、アウト玉数及びセーフ玉数に基づいて差玉数を演算する（Ｓ１０２）。
【００２４】
続いて、集中管理装置４は、差玉数が最小値か最大値かを判断し（Ｓ１０３、Ｓ１０４）、最小値若しくは最大値であったときは、それらを更新記憶する（Ｓ１１０、Ｓ１１１）。
【００２５】
続いて、最大値から最小値を差引くことにより代表差を演算すると共に（Ｓ１０５）、代表差に対応した最小値及び最大値となる間の代表差間アウトを演算し（Ｓ１０６）、代表差を代表差間アウトで除することにより射幸指数を演算する（Ｓ１０７）。
そして、射幸指数を島管理装置及び台端末に送信すると共に（Ｓ１０８）、射幸指数を表示する（Ｓ１０９）。
【００２６】
従って、遊技客による遊技が進行すると、盤面へのパチンコ玉の発射に伴ってアウト玉が発生すると共に、入賞或いは特賞の発生に伴ってセーフ玉が発生するようになるので、遊技状態に応じて差玉数の最大値及び最小値が変化すると共に、その差玉数の最大値及び最小値が変化するのに応じて射幸指数は変化する。
【００２７】
図３は集中管理装置４による稼働情報の表示例を示しており、営業終了時の稼働情報を示している。この図３に示すように、集中管理装置４は、選択された機種（ダイコク２）全体の稼働情報と、ダイコク２の各遊技台１（１番台〜１０番台）の稼働情報を示している。この場合、選択された機種全体の稼働情報として、総アウト玉数、総セーフ玉数、総セーフ玉数、総売上、射幸指数の平均が表示されている。また、選択された機種の各遊技台１の稼働情報として、アウト玉数、セーフ玉数、差玉数、出玉率、売上、特賞回数、スタート回数、特賞確率、代表差、代表差アウト、射幸指数が表示されている。
【００２８】
また、集中管理装置４は、図４に示すように、機種別の稼働情報として、総アウト玉数、総セーフ玉数、出玉率、総売上、射幸指数を表示するようになっている。
【００２９】
図５は島管理装置４の表示例を示している。この図５において、島管理装置４は、集中管理装置４から稼働情報が送信されたときは、島に所属する各遊技台１毎の特賞回数及び射幸指数を表示する。
【００３０】
また、図６は台端末２の表示例を示している。この図６において、台端末２は、台番号、特賞回数、スタート回数を表示すると共に、集中管理装置４から遊技情報が送信されたときは、特賞確率及び射幸指数を表示する。
【００３１】
従って、遊技客は、台端末２に表示された特賞回数、スタート回数及び特賞確率に基づいて遊技台１の特賞の発生確率を予想すると共に、射幸指数に基づいて遊技台１の特性を判断することができ、遊技台１を適切に選択することができる。
【００３２】
また、担当従業員は、島管理装置４に表示される特賞回数及び射幸指数に基づいて遊技台１の稼働状況を判断することができる。
尚、図３乃至図６は営業終了時の稼働情報を示しており、営業中においては営業開始からの稼働情報を表示するようになっている。
【００３３】
さて、図３に示した表示から各遊技台１の特性を判断する方法について説明する。
図７は、図３に示した１番台の差玉数の変化を示しており、横軸はアウト玉数の累計を示している。この図３において、稼働開始時において差玉数は零である。遊技の進行により入賞が発生してセーフ玉が放出されるものの、入賞が発生しているだけではアウト玉数がセーフ玉数を上回っているので、差玉数が減少している。つまり、差玉数は零よりも小さくなり、遊技客の不利益となっている。
【００３４】
さて、特賞が発生したときは、遊技台１から放出されるセーフ玉数が一気に増加するので、差玉数が急激に増加するようになる。そして、特賞が終了したときは、アウト玉数が増加するので、差玉数が減少するようになる。
【００３５】
そして、特別な特賞が発生したときは、特賞が終了するにしても直ちに特賞が連続して発生するようになるので、セーフ玉数が一気に増加し、それに伴って差玉数が短時間で増加するようになる。
【００３６】
また、特別な特賞が終了した後においては、通常の特賞が発生して一時的に差玉数が上昇するにしても、長期的にはアウト玉数が増加するので、差玉数は減少している。この場合、差玉数が最小値と最大値となるタイミングは特別な特賞が発生した前後に対応しており、差玉数は最小値から最大値に短時間で変化している。
【００３７】
この１番台の場合、最終的には差玉数は小さく遊技客の利益は小さいものの、遊技中においては、特別な特賞の発生に応じて連続して特賞が発生することにより差玉数が短時間で最小値から最大値に変化していることから、遊技客にとっては射幸性が高く面白みが大きな遊技台であると言える。
【００３８】
また、１０番台の遊技台１における差玉数の変化を示す図８において、差玉数は徐々に増加しており、特賞が定期的に発生していることが分る。この遊技台は特賞が発生するものの、特賞が連続する特別な特賞は発生していないことから、差玉数が一気に増加することはないものの、最終的な差玉数は大きい。
【００３９】
この場合、差玉数が最小値と最大値となるタイミングは営業開始時と営業終了時とに対応しており、最小値から最大値に変化するまでに要する時間は長くなっている。
【００４０】
この１０番台は、最終的には差玉数は大きく遊技客の利益は大きいものの、遊技中においては特賞が連続する特別な特賞が発生せず、遊技客にとっては射幸性が低く面白みが少ない遊技台であると言える。
【００４１】
また、８番台の遊技台１における差玉数の変化を示す図９において、差玉数は増加と減少とを繰り返しており、特賞の発生間隔が大きいことが分る。
このような遊技台は、差玉数の最小値と最大値との間の差は小さい上に、差玉数が最小値から最大値まで変化する時間が長いことから、差玉数の変化割合は小さく、遊技客にとっては面白みがない遊技台であると言える。
【００４２】
従って、差玉数が短時間で大きく変化する遊技台、つまり差玉数の変化割合が大きな遊技台は、遊技客にとっては射幸性が高く面白みが大きな遊技台であることになり、このような射幸性の度合いを数値化して遊技客に示すことにより、遊技客が遊技台を選択する際の指標とすることができる。
【００４３】
そこで、本実施の形態の集中管理装置４では、射幸性の度合いを数値化する方法として、差玉数の最大値と最小値との差である代表差を、差玉数が最大値と最小値となる間のアウト玉数である代表差間アウトで除することにより求めるようにした。
【００４４】
即ち、１番台の遊技台の場合は、代表差は８９５１、代表差間アウトは８２１１であるので、（８９５１／８２１１）×１００により射幸指数は１０９として求めることができる。つまり、差玉数が最小値から最大値まで短時間で変化し、遊技客が不利益な状態から大きな利益状態となっていることから、射幸指数は高くなっている。
【００４５】
また、１０番台の遊技台の場合は、営業終了時の差玉数が代表差となり、代表差は８８１９、代表差間アウトは１８８６２であるので、（８８１９／１８８６２）×１００により射幸指数は４７として求めることができる。つまり、代表差は１番台の遊技台と略同じであるものの、代表差間アウトが大きいので、それだけ射幸指数は小さくなっている。
【００４６】
また、８番台の遊技台の場合は、代表差は３６６１、代表差間アウトは１３６７６であるので、（３６６１／１３６７６）×１００により射幸指数は２７として求めることができる。つまり、代表差は小さく且つ代表差間アウトは大きいので、射幸指数は小さくなっている。
【００４７】
上述した射幸指数は、営業開始時から所定時間までは前回（通常は前日）の営業終了時の射幸指数を表示するようになっている。これは、営業開始当初においては、営業開始からのアウト玉数及びセーフ玉数に基づいて演算された射幸指数の信頼性が低いからである。
【００４８】
このような実施の形態によれば、営業開始からの差玉数の最大値と最小値との差の変化割合を示す射幸指数を求め、その射幸指数を稼働情報の一つとして遊技客に対して表示するようにしたので、一般的な稼働情報を表示するだけの構成と違って、遊技客は、表示された射幸指数に基づいて遊技台の特性を確実に判断して、遊技台の選択の指標とすることができる。
【００４９】
また、遊技店の経営者にとっては、各遊技台１の稼働状況を管理する上で、射幸性の度合いが遊技台１の稼働率にどのような影響を及ぼしているかを把握することができる。
【００５０】
しかも、このような射幸指数は、従来より遊技台から取得しているアウト玉数及びセーフ玉数に基づいて求めることができるので、遊技台から特別な稼働情報を入手する必要がなく、プログラムの改良だけで容易に実施することができる。本発明は、上記実施の形態に限定されることなく、代表差を稼働時間で除することにより射幸指数を求めるようにしてもよい。
【００５１】
【発明の効果】
以上の説明から明らかなように、本発明の射幸指数表示システムによれば、差玉数の最大値から最小値を差引いた代表差の変化割合を示す射幸指数を表示するようにしたので、遊技客或いは遊技店経営者が各遊技台の射幸性の度合いを容易に判断することができるという優れた効果を奏する。
【図面の簡単な説明】
【図１】本発明の一実施の形態における集中管理装置の動作を示すフローチャート
【図２】全体の構成を示す概略図
【図３】集中管理装置における遊技台毎の稼働情報の表示画面を示す図
【図４】集中管理装置における機種毎の稼働情報の表示画面を示す図
【図５】島管理装置における表示画面を示す図
【図６】台端末における表示画面を示す図
【図７】遊技台における差玉数の変化を示す図
【図８】異なる遊技台を示す図７相当図
【図９】異なる遊技台を示す図７相当図
【符号の説明】
１は遊技台、２は台端末、３は島管理装置、４は集中管理装置（検出手段、演算手段、表示手段）、５は情報公開端末である。
【図１】
0004372903.tif 000002
【図２】
0004372903.tif 000003
【図３】
0004372903.tif 000004
【図４】
0004372903.tif 000005
【図５】
0004372903.tif 000006
【図６】
0004372903.tif 000007
【図７】
0004372903.tif 000008
【図８】
0004372903.tif 000009
【図９】
0004372903.tif 000010